(57)【特許請求の範囲】
【請求項１】
ユーザ毎に区分されたユーザ単位に分割される複数台の被制御装置と通信回線を介して接続され、前記被制御装置を制御する集中制御装置を備えた空気調和システムにおいて、
前記集中制御装置は、前記ユーザ単位の基本料金を、該集中制御装置に通信線で接続された各被制御装置より入力される通信データにより、ユーザ単位毎の被制御装置の総能力を演算し、この総能力に従って演算する機能を備えたことを特徴とする集中制御型空気調和システム。
【請求項２】
ユーザ毎に区分されたユーザ単位に分割される複数台の被制御装置と通信回線を介して接続され、前記被制御装置を制御する集中制御装置を備えた空気調和システムにおいて、
前記集中制御装置は、
前記ユーザ単位の基本料金を、該集中制御装置に通信線で接続された各被制御装置より入力される通信データにより、ユーザ単位毎の被制御装置の総能力を演算し、この総能力に従って演算する第１の機能と、
前記ユーザ単位の基本料金を、ユーザ単位の総床面積に従って演算する第２の機能と、
前記ユーザ単位の基本料金を、個別入力可能にした第３の機能とを備え、第１、第２、第３の機能を択一的に選択可能に構成したことを特徴とする集中制御型空気調和システム。
【発明の詳細な説明】
【０００１】
【発明の属する技術分野】
本発明は、集中制御型空気調和システムに係り、詳しくは、空調料金の基本料金を自動的に算出する機能を有する集中制御型空気調和システムに関する。
【０００２】
【従来の技術】
従来より、空気調和システムを構成する多数の室内機や室外機を通信回線を介してメインコントローラに接続し、各室内機内のコントローラによりローカル制御を行なわせる一方で、メインコントローラに空気調和システム全体の制御を行わせるようにした集中制御型空気調和システムがある。この種の集中制御型空気調和システムでは、室内機の総数が増大すると、メインコントローラの処理が膨大となり、その結果、システム全体の処理効率が低下する。
【０００３】
そこで、複数の室内機をサブコントローラおよび通信線を介してメインコントローラに接続し、システム全体の制御はメインコントローラで行わせ、各ユーザ（以下、テナントという。）側に設けられたサブコントローラにより室内機の制御を行わせるものが提案されている。
【０００４】
この種の集中制御型空気調和システムでは、基本料金（固定費）と従量料金との和を空調料金とするのが一般的であり、この場合、まずテナント毎の個別の基本料金を設定しなければならない。この基本料金を各テナントに対して同額とすることも可能であるが、テナントの規模（床面積）や稼働時間がそれぞれ異なる場合には、各テナントに対する空調料金の不均衡是正等のために、テナント毎の個別基本料金を設定していた。
【０００５】
従来では、テナント毎の基本料金をメインコントローラに個別に入力することにより個別基本料金が設定される。
【０００６】
この基本料金の設定方式には、各テナントの室内機の総能力に比例した基本料金を設定する方式（能力単価方式）や、各テナントの床面積に比例した基本料金を設定する方式（面積単価方式）等がある。
【０００７】
【発明が解決しようとする課題】
しかしながら、ビルの高層化等に伴い一つの集中制御型空気調和システムによって統括されるテナントの総数が増加する傾向にある。多数のテナントを統括する集中制御型空気調和システムでは、管理人がテナント毎に異なる多数の基本料金を一つ一つ入力するのでは、入力ミスが発生しいやすいと共に、入力に多大な労力を要するという問題がある。
【０００８】
本発明は、各テナントの基本料金を計算することができる集中制御型空気調和システムを提供することを目的とする。
【０００９】
【課題を解決するための手段】
請求項１記載の発明は、ユーザ毎に区分されたユーザ単位に分割される複数台の被制御装置と通信回線を介して接続され、被制御装置を制御する集中制御装置を備えた空気調和システムにおいて、集中制御装置は、ユーザ単位の基本料金を、該集中制御装置に通信線で接続された各被制御装置より入力される通信データにより、ユーザ単位毎の被制御装置の総能力を演算し、この総能力に従って演算する機能を備えたことを特徴とするものである。
【００１２】
この発明によれば、例えばユーザ単位の被制御装置の総能力、或いはユーザ単位の総床面積等に基づいて基本料金を算出する場合に、管理人の計算等により求められた全テナントの基本料金を一つ一つ入力する場合に比べて、極めて小さい労力で基本料金を設定することができる。
【００１３】
請求項２記載の発明は、ユーザ毎に区分されたユーザ単位に分割される複数台の被制御装置と通信回線を介して接続され、被制御装置を制御する集中制御装置を備えた空気調和システムにおいて、前記集中制御装置は、該集中制御装置に通信線で接続された各被制御装置より入力される通信データにより、ユーザ単位毎の被制御装置の総能力を演算し、この総能力に従って演算する第１の機能と、前記ユーザ単位の基本料金を、ユーザ単位の総床面積に従って演算する第２の機能と、前記ユーザ単位の基本料金を、個別入力可能にした第３の機能とを備え、第１、第２、第３の機能を択一的に選択可能に構成したことを特徴とするものである。
【００１４】
この発明によれば、個別入力、能力単価、面積単価のいずれかを任意に選択することが可能であり、また、能力単価または面積単価が選択された場合には、管理人の計算により求められた全テナントの基本料金を一つ一つ入力する場合に比べ、極めて小さい労力で基本料金が設定される。
【００１５】
【発明の実施の形態】
以下、本発明の一実施形態を図面に基づき詳細に説明する。
【００１６】
図１は、実施形態に係る集中制御型空気調和システムの概要構成を示すブロック図である。空気調和システム１は、空気調和システム１全体を制御する集中制御装置たるメインコントローラ２と、メインコントローラ２に多重伝送方式を用いた２線方式のメイン通信線ＬＭを介して接続された端末処理制御装置たる複数の通信アダプタ３-1〜３-3と、各通信アダプタ３-1〜３-3にメイン通信線ＬＭと同様に２線方式のサブ通信線ＬＳ1〜ＬＳ3を介して接続された被制御装置群ＵＧとからなっている。
【００１７】
次に被制御装置群ＵＧの態様について図１を参照して説明する。被制御装置群ＵＧの態様は、様々考えられるが、以下、その一例を説明する。第１通信アダプタ３-1には、サブ通信線ＬＳ1 を介して被制御装置としての複数の室内機２０および室外機コントローラ２１が接続され、さらにローカル制御装置としての室外機コントローラ２１を介して複数の室外機２２が接続されている。
【００１８】
第２通信アダプタ３-2には、第１サブ通信線ＬＳ21を介して複数の室内機２０および一の室外機２２が接続された第１被制御装置群が接続され、第２サブ通信線ＬＳ22を介して同様に複数の室内機２０および一の室外機２２が接続された第２被制御装置群が接続されている。
【００１９】
第３通信アダプタ３-3には、サブ通信線ＬＳ3 を介して一の室内機２０に一の室外機が接続されている室内外機セット２４が複数接続されており、さらに一のリモートコントローラ２５の制御ラインであるグループ制御通信線ＧＬを介して複数の室内外機セット２６が接続されている。
【００２０】
ここで、メインコントローラ２、通信アダプタ3-1および通信アダプタ３-2の構成について説明する。
【００２１】
メインコントローラ２は、後述する通信アダプタの構成とほぼ同様な構成を有する通信制御ボード、各種制御を行なう後述のコントロールボード等が格納されたコントローラ本体２-1と、各種設定データ、被制御装置の動作状態等を表示する表示部２-2と、各種データをプリントアウトするためのプリンタ２-3とを備えて構成されている。
【００２２】
通信アダプタ３-1は、図２に示すように、通信アダプタ３-1全体を制御するＣＰＵ１０と、制御プログラムやデータ等が格納されたＲＯＭ１１と、一時的に各種データを格納するＲＡＭ１２と、外部とのインターフェース動作を行なうインターフェース部１３とからなっており、ＣＰＵ１０、ＲＯＭ１１、ＲＡＭ１２およびインターフェース部１３とは、バスを介して接続されている。
【００２３】
更に室内機、室外機等の被制御装置Ｕ11 〜Ｕ1n は、インターフェース部１３およびサブ通信線ＬＳ1 を介して接続されている。他の通信アダプタ３-3についても同様である。
【００２４】
また、通信アダプタ３-2は、図３に示すように、通信アダプタ３-1とほぼ同様に通信アダプタ３-2全体を制御するＣＰＵ１０と、制御プログラムやデータ等が格納されたＲＯＭ１１と、データバッファとしても機能し一時的に各種データを格納するＲＡＭ１２と、外部とのインターフェース動作を行なうインターフェース部１３Ａとからなっており、ＣＰＵ１０、ＲＯＭ１１、ＲＡＭ１２およびインターフェース部１３Ａとは、バスを介して接続されている。更に、室内機、室外機等の被制御装置Ｕ11 〜Ｕ1n は、インターフェース部１３Ａ、通信用接続端子Ｔ1およびサブ通信線ＬＳ21を介して接続され、更にまた、被制御装置Ｕ21 〜Ｕ2n は、インターフェース部１３Ａ、通信用接続端子Ｔ2およびサブ通信線ＬＳ22を介して接続されている。
【００２５】
次に室内機の制御系について、通信アダプタ３-1にサブ通信線ＬＳ1 を介して接続されている室内機２０を例として説明する。
【００２６】
室内機２０は、図４に示すように、室内機２０全体を制御するＣＰＵ３０と、制御用プログラム、データ等が格納されたＲＯＭ３１と、一時的に各種データを格納するＲＡＭ３２と、外部とのインターフェース動作を行なうインターフェース部３３とからなっており、ＣＰＵ３０、ＲＯＭ３１、ＲＡＭ３２およびインターフェース部３３とは、バスを介して接続されている。更に、通信アダプタ３-1、他の室内機２０および室外機コントローラ２１とは、インターフェース部３３およびサブ通信線ＬＳ1を介して接続されている。
【００２７】
次に室外機コントローラ２１の構成について、図５を参照して説明する。
【００２８】
室外機コントローラ２１は、図５に示すように、室外機コントローラ２１全体を制御するＣＰＵ４０と、制御用プログラム、データ等が格納されたＲＯＭ４１と、一時的に各種データを格納するＲＡＭ４２と、外部とのインターフェース動作を行なうインターフェース部４３とからなっており、ＣＰＵ４０、ＲＯＭ４１、ＲＡＭ４２およびインターフェース部４３とは、バスを介して接続されている。更に通信アダプタ３-1および室内機２０とは、インターフェース部３３およびサブ通信線ＬＳ1 を介して接続されており、各室外機２２とは、第２サブ通信線ＬＳB を介して接続されている。
【００２９】
図６にコントローラ本体２-1内のコントロールボード５０の概要構成図を示す。コントロールボード５０は、タイミング制御信号ＣTMを出力する内部タイマ５１Ａを有すると共に、コントロールボード５０全体を制御するＣＰＵ５１と、自動制御を行うための制御用プログラム、データ等が格納されたＲＯＭ５２と、一時的に各種データを格納すると共に、自動制御を行うための後述のデイリータイマプログラム、各種データを格納・保持するための不揮発性ＲＡＭ５３と、外部とのインターフェース動作を行なうインターフェース部５４とからなっており、ＣＰＵ５１、ＲＯＭ５２、不揮発性ＲＡＭ５３、インターフェース部５４、表示部２-2およびプリンタ２-3とは、バスを介して接続されている。さらに通信アダプタ３-1〜３-3とは、インターフェース部５４およびメイン通信線ＬＭを介して接続されている。
【００３０】
以上の構成において、複数台の室内機２０は、図８に示すように、ユーザ（テナントＡ、Ｂ）毎に区分されたユーザ単位に分割され、メインコントローラ２は、ユーザ単位における空調料金の基本料金（固定費）を所定の基準に従って演算する機能を備えている。
【００３１】
図７は「基本料金の算出メニュー」画面を示し、この画面は所定の操作によりメインコントローラ２の表示部２−２に表示される。基本料金の演算の方式には、例えば各テナントの室内機の総能力に比例した基本料金を設定する方式（能力単価方式）や、各テナントの床面積に比例した基本料金を設定する方式（面積単価方式）等がある。
【００３２】
（Ａ）室内機の能力によって基本料金を算出する能力単価方式
管理人は、所定の操作によりメインコントローラ２の表示部２−２に「基本料金の算出メニュー」画面を呼び出し、ここで「１．室内機の能力により計算」を選択する。この場合、メインコントローラ２には各室内機２０がいずれのテナントＡ、Ｂ…に所属しているかという情報が予め入力されている。
【００３３】
図８において、通信アダプタ３-1および室内機２０-1，２０-2，２０-3は第１の被制御系を構成し、室内機２０-1，２０-2はテナントＡに所属し、室内機２０−３はテナントＢに所属しているものとする。
【００３４】
通信アダプタ３-1は、室内機２０-1，２０-2，２０-3…に対して能力値要求命令を所定のインターバルで出力し、この能力値要求命令を受信した室内機２０-1，２０-2，２０-3…は、自己の最大運転能力を、自己の室内機番号と共に通信アダプタ３-1にサブ通信線ＬＳ1 を介して送信する。
【００３５】
通信アダプタ３-1は、室内機２０-1，２０-2，２０-3…の全ての運転能力を収集したら、これらの運転能力を室内機番号に関連付けた状態で、メインコントローラ２にメイン通信線ＭＳを介して送信する。このような通信はその他の全ての通信アダプタにおいても同様に行われる。
【００３６】
具体的には、テナントＡについては４．５ｋＷ＋５．０ｋＷ＝９．５ｋＷが総能力値として送信され、テナントＢについてはテナントＢに所属する室内機が一機であるので４．５ｋＷとして送信される。
【００３７】
この段階では、メインコントローラ２の表示部２-2に「基本料金の入力要求」画面が呼び出されている。従って、管理人は、１ｋＷ当たりの基本料金として例えば「３００」円を入力する。メインコントローラ２は、この１ｋＷ当たりの基本料金に基づいて各テナントに対する基本料金を算出する。具体的には、テナントＡについては、３００円×９．５ｋＷ＝２８５０円となる。テナントＢについては、３００円×４．５ｋＷ＝１３５０円となる。
【００３８】
メインコントローラ２の表示部２-2には算出された基本料金が表示される。この基本料金に対して修正が必要な場合には、別のメニュー画面を呼び出して、この画面操作によって基本料金の修正が実行される。その後、決定された基本料金の一覧の印刷が必要であれば、プリンタ２-3によって印刷が行われる。
【００３９】
（Ｂ）テナントの床面積によって基本料金を算出する面積単価方式
管理人は、図７に示される「基本料金の算出メニュー」の画面で「２．テナントの床面積により計算」を選択し、別のメニュー画面を呼び出して、この画面操作によって各テナントの占有面積を入力するとともに、１ｍ2当たりの基本料金を入力する。そして、メインコントローラ２は（１ｍ2当たりの基本料金）×（テナントの占有面積）を算出し、この算出結果を表示部２-2に表示する。
【００４０】
メインコントローラ２の表示部２-2には算出された基本料金が表示される。この基本料金に対して修正が必要な場合には、別のメニュー画面を呼び出して、この画面操作によって基本料金の修正が実行される。その後、決定された基本料金の一覧の印刷が必要であれば、プリンタ２-3によって印刷が行われる。
【００４１】
（Ｃ）個別入力方式
管理人は、図７に示す「基本料金の算出メニュー」の画面で「３．個別入力」を選択する。この場合には、管理人は、別のメニュー画面を呼び出し、この画面操作によってテナント毎に決定された基本料金を一つ一つ入力する。
【００４２】
以上（Ａ）〜（Ｃ）の方式の全ての機能がメインコントローラ２に付加され、管理人は、事情によっていずれかの方式を任意に選択が可能である。（Ａ）または（Ｂ）の方式が選択された場合には、管理人の計算等により求められた全テナントの基本料金を一つ一つ入力する場合に比べて、極めて小さい労力で基本料金を決定することができる。
【００４３】
【発明の効果】
請求項１記載の発明によれば、例えばユーザ単位の被制御装置の総能力、或いはユーザ単位の総床面積等に基づいて基本料金を算出する場合に、管理人の計算等により求められた全テナントの基本料金を一つ一つ入力する場合に比べて、極めて小さい労力で基本料金を設定することができる。
【００４４】
請求項２記載の発明によれば、個別入力、能力単価、面積単価のいずれかを任意に選択することが可能であり、また、能力単価または面積単価が選択された場合には、管理人の計算により求められた全テナントの基本料金を一つ一つ入力する場合に比べ、極めて小さい労力で基本料金が設定される。
【図面の簡単な説明】
【図１】空気調和システムの概要構成を示すブロック図である。
【図２】通信アダプタの概要構成を示すブロック図である。
【図３】他の通信アダプタの概要構成を示すブロック図である。
【図４】室内機の制御系の概要構成を示すブロック図である。
【図５】室外機コントローラの概要構成を示すブロック図である。
【図６】メインコントローラのコントロールボードの概要構成図である。
【図７】基本料金の算出メニューを示す図である。
【図８】本実施形態による空気調和システムの概要動作を説明する図である。
【符号の説明】
１  空気調和システム
２  メインコントローラ
２-1  コントローラ本体
２-2  表示部
２０  室内機
２１  室外機コントローラ
２２  室外機
２４，２６  室内外機セット
２５  リモートコントローラ
５０  コントロールボード
ＬＭ  メイン通信線
ＬＳ1 ，ＬＳ21，ＬＳ22，ＬＳ3，ＬＳB   サブ通信線
ＵＧ  被制御装置群
Ｕ11 〜Ｕ1n ，Ｕ21 〜Ｕ2n  被制御装置
【図１】
0003819569.tif 000002
【図２】
0003819569.tif 000003
【図３】
0003819569.tif 000004
【図４】
0003819569.tif 000005
【図５】
0003819569.tif 000006
【図６】
0003819569.tif 000007
【図７】
0003819569.tif 000008
【図８】
0003819569.tif 000009